【手続補正書】
【提出日】平成20年8月4日(2008.8.4)
【手続補正１】
【補正対象書類名】明細書
【補正対象項目名】特許請求の範囲
【補正方法】変更
【補正の内容】
【特許請求の範囲】
【請求項１】  所定の有価価値を有する遊技媒体を払い出す払出制御手段を有した１又は複数の遊技機と、その遊技機と接続され、前記遊技媒体の情報が記録された遊技媒体記録手段を投入した状態で前記遊技媒体の貸出要求があった場合に、前記遊技機に遊技媒体の貸し出しを指示する１又は複数の遊技媒体記録読取装置と、その遊技媒体記録読取装置と接続されて前記遊技媒体記録手段および遊技媒体の払い出しを管理する遊技媒体管理装置と、その遊技媒体管理装置と接続される外部管理装置とを備えた遊技機管理システムにおいて、
前記外部管理装置は、前記払出制御手段による遊技媒体の１単位の払出個数を２種以上の個数に設定可能な貸出個数設定手段を備え、その貸出個数設定手段で設定された前記遊技媒体の払出個数のデータを前記遊技媒体管理装置へ出力し、
前記遊技媒体管理装置は、前記外部管理装置から受信した前記遊技媒体の払出個数のデータを前記遊技媒体記録読取装置へ出力し、
前記遊技媒体記録読取装置は、前記遊技媒体管理装置から受信した前記遊技媒体の払出個数のデータを保持すると共に、前記遊技媒体の貸出要求に応じて、前記遊技機の払出制御手段へ遊技媒体の払出個数のデータを出力し、
前記遊技機は、受信した前記遊技媒体の払出個数のデータに基づいて前記遊技媒体の払い出しを行うものであることを特徴とする遊技機管理システム。
【請求項２】  所定の有価価値を有する遊技媒体を払い出す払出制御手段を有した１又は複数の遊技機と、その遊技機と接続され、前記遊技媒体の情報が記録された遊技媒体記録手段を投入した状態で前記遊技媒体の貸出要求があった場合に、前記遊技機に遊技媒体の貸し出しを指示する１又は複数の遊技媒体記録読取装置と、その遊技媒体記録読取装置と接続されて前記遊技媒体記録手段および遊技媒体の払い出しを管理する遊技媒体管理装置と、その遊技媒体管理装置と接続される外部管理装置とを備えた遊技機管理システムにおいて、
前記外部管理装置は、前記払出制御手段による遊技媒体の１単位の払出個数を２種以上の個数に設定可能な貸出個数設定手段を備え、その貸出個数設定手段で設定された前記遊技媒体の払出個数のデータを前記遊技媒体管理装置へ出力し、
前記遊技媒体管理装置は、前記外部管理装置から受信した前記遊技媒体の払出個数のデータを前記遊技媒体記録読取装置へ出力し、
前記遊技媒体記録読取装置は、前記遊技媒体管理装置から受信した前記遊技媒体の払出個数のデータを前記遊技機に出力し、
前記遊技機は、前記遊技媒体記録読取装置から受信した前記遊技媒体の払出個数のデータを記憶すると共に、前記遊技媒体記録読取装置から遊技媒体の貸出要求があった場合に、その記憶している遊技媒体の払出個数のデータに基づいて前記遊技媒体の払い出しを行うものであることを特徴とする遊技機管理システム。
【請求項３】  前記外部管理装置は、１又は複数の前記遊技媒体管理装置を監視すると共に、前記遊技媒体管理装置を介して前記遊技媒体記録読取装置へ前記貸出個数設定手段で設定された遊技媒体の払出個数のデータを出力するものであることを特徴とする請求項１又は２記載の遊技機管理システム。
【請求項４】  前記外部管理装置には複数の前記遊技媒体管理装置が接続されており、前記外部管理装置は、前記遊技媒体の払出個数のデータを選択した１又は複数の遊技媒体管理装置へ出力することを特徴とする請求項１から３のいずれか記載の遊技機管理システム。
【手続補正２】
【補正対象書類名】明細書
【補正対象項目名】０００５
【補正方法】変更
【補正の内容】
【０００５】
【課題を解決するための手段】  この目的を達成するために請求項１記載の遊技機管理システムは、所定の有価価値を有する遊技媒体を払い出す払出制御手段を有した１又は複数の遊技機と、その遊技機と接続され、前記遊技媒体の情報が記録された遊技媒体記録手段を投入した状態で前記遊技媒体の貸出要求があった場合に、前記遊技機に遊技媒体の貸し出しを指示する１又は複数の遊技媒体記録読取装置と、その遊技媒体記録読取装置と接続されて前記遊技媒体記録手段および遊技媒体の払い出しを管理する遊技媒体管理装置と、その遊技媒体管理装置と接続される外部管理装置とを備えており、前記外部管理装置は、前記払出制御手段による遊技媒体の１単位の払出個数を２種以上の個数に設定可能な貸出個数設定手段を備え、その貸出個数設定手段で設定された前記遊技媒体の払出個数のデータを前記遊技媒体管理装置へ出力し、前記遊技媒体管理装置は、前記外部管理装置から受信した前記遊技媒体の払出個数のデータを前記遊技媒体記録読取装置へ出力し、前記遊技媒体記録読取装置は、前記遊技媒体管理装置から受信した前記遊技媒体の払出個数のデータを保持すると共に、前記遊技媒体の貸出要求に応じて、前記遊技機の払出制御手段へ遊技媒体の払出個数のデータを出力し、前記遊技機は、受信した前記遊技媒体の払出個数のデータに基づいて前記遊技媒体の払い出しを行うものである。
請求項２記載の遊技機管理システムは、所定の有価価値を有する遊技媒体を払い出す払出制御手段を有した１又は複数の遊技機と、その遊技機と接続され、前記遊技媒体の情報が記録された遊技媒体記録手段を投入した状態で前記遊技媒体の貸出要求があった場合に、前記遊技機に遊技媒体の貸し出しを指示する１又は複数の遊技媒体記録読取装置と、その遊技媒体記録読取装置と接続されて前記遊技媒体記録手段および遊技媒体の払い出しを管理する遊技媒体管理装置と、その遊技媒体管理装置と接続される外部管理装置とを備えており、前記外部管理装置は、前記払出制御手段による遊技媒体の１単位の払出個数を２種以上の個数に設定可能な貸出個数設定手段を備え、その貸出個数設定手段で設定された前記遊技媒体の払出個数のデータを前記遊技媒体管理装置へ出力し、前記遊技媒体管理装置は、前記外部管理装置から受信した前記遊技媒体の払出個数のデータを前記遊技媒体記録読取装置へ出力し、前記遊技媒体記録読取装置は、前記遊技媒体管理装置から受信した前記遊技媒体の払出個数のデータを前記遊技機に出力し、前記遊技機は、前記遊技媒体記録読取装置から受信した前記遊技媒体の払出個数のデータを記憶すると共に、前記遊技媒体記録読取装置から遊技媒体の貸出要求があった場合に、その記憶している遊技媒体の払出個数のデータに基づいて前記遊技媒体の払い出しを行うものである。
請求項３記載の遊技機管理システムは、請求項１又は２記載の遊技機管理システムにおいて、前記外部管理装置は、１又は複数の前記遊技媒体管理装置を監視すると共に、前記遊技媒体管理装置を介して前記遊技媒体記録読取装置へ前記貸出個数設定手段で設定された遊技媒体の払出個数のデータを出力するものである。
請求項４記載の遊技機管理システムは、請求項１から３のいずれか記載の遊技機管理システムにおいて、前記外部管理装置には複数の前記遊技媒体管理装置が接続されており、前記外部管理装置は、前記遊技媒体の払出個数のデータを選択した１又は複数の遊技媒体管理装置へ出力する。
【手続補正３】
【補正対象書類名】明細書
【補正対象項目名】００８２
【補正方法】変更
【補正の内容】
【００８２】
請求項１記載の遊技機管理システムまたは遊技機管理システム１若しくは２において、前記外部管理装置は、１又は複数の前記遊技媒体管理装置を監視すると共に、前記遊技媒体管理装置を介して前記遊技媒体記録読取装置へ前記貸出個数設定手段で設定された貸球の払出個数のデータを出力するものであることを特徴とする遊技機管理システム３。遊技機、遊技媒体記録読取装置および遊技媒体管理装置に貸出個数設定手段を設けるのではなく、外部管理装置に貸出個数設定手段を設け、貸出個数設定手段により設定された貸球の払出個数のデータを遊技媒体記録読取装置へ出力する。遊技機、遊技媒体記録読取装置および遊技媒体管理装置は、貸球の払出個数を設定する以外の人間、例えばホールの従業員や遊技客等が直接接触することができ得るので、不正が行われやすい環境である。これらの装置に貸出個数設定手段を設けると、その貸出個数設定手段に不正が行われて、不適切な貸球の払い出し等が行われてしまう場合がある。しかし、遊技機および遊技媒体記録読取装置を監視する遊技媒体管理装置を監視することができる外部管理装置に貸出個数設定手段を設けることにより、遊技機、遊技媒体記録読取装置および遊技媒体管理装置を監視しながら貸球の払出個数の設定を行うことができるので、不適切な貸球の払出個数の設定等を防止することができる。
【手続補正４】
【補正対象書類名】明細書
【補正対象項目名】００９３
【補正方法】変更
【補正の内容】
【００９３】
【発明の効果】  請求項１又は２記載の遊技機管理システムによれば、外部管理装置に設けられた貸出個数設定手段により、遊技機の払出制御手段による遊技媒体の１単位の払出個数を２種以上の個数に設定できるので、外部管理装置の方針に応じて、遊技媒体の払出個数を調整することができる。
請求項３記載の遊技機管理システムによれば、請求項１又は２記載の遊技機管理システムの奏する効果に加え、遊技機および遊技媒体記録読取装置を監視する遊技媒体管理装置を監視することができる外部管理装置に貸出個数設定手段を設けることにより、遊技機、遊技媒体記録読取装置および遊技媒体管理装置を監視しながら遊技媒体の払出個数の設定を行うことができるので、不適切な遊技媒体の払出個数の設定等を防止することができる。
請求項４記載の遊技機管理システムによれば、請求項１から３のいずれか記載の遊技機管理システムの奏する効果に加え、外部管理装置から選択した遊技媒体管理装置へ遊技媒体の払出個数のデータを出力することができるので、例えば、特定の遊技場だけ遊技媒体の払出個数を変更したい場合に、その遊技媒体管理装置のみに遊技媒体の払出個数のデータを出力することができる。